(57)【要約】【課題】上下のラッチヘッドに対する緩衝機能を発揮させること。【解決手段】収容部の少なくとも一方は、正面開口とこれに連通する左右開口とを有し、正面開口の上下の開口縁部には水平ガイドを形成し、これらの水平ガイドには付勢バネのバネ力により所定量離隔して対向する左右一組の可動係合片が組み込まれ、閉扉時、ラッチ先端部の一方が左右開口のいずれかから進入して一方の収容部に入り込む際、該ラッチ先端部の被係止面が一方の可動係合片に衝突した場合には、該一方の可動係合片は、付勢バネのバネ力に抗して、かつ水平ガイドに案内されながら他方の可動係合片に接近し、これに対して、ラッチ先端部の傾斜面が他方の可動係合片に衝突した場合には、該ラッチ先端部は該他方の可動係合片を乗り越えるラッチ錠用の受け具。【選択図】図１
2009062749.tif 000002
【特許請求の範囲】
【請求項１】
上下方向の二つのラッチ先端部が係脱する上下のラッチ用収容部を有するラッチ錠用の受け具に於いて、収容部の少なくとも一方は、変動する正面開口とこれに連通する左右開口とを有し、また、正面開口の上下の開口縁部には水平ガイドを形成し、これらの水平ガイドには付勢バネのバネ力により所定量離隔して対向する左右一組の可動係合片が組み込まれ、閉扉時、ラッチ先端部の一方が左右開口のいずれかから進入して一方の収容部に入り込む際、該ラッチ先端部の被係止面が一方の可動係合片に衝突した場合には、該一方の可動係合片は、付勢バネのバネ力に抗して、かつ水平ガイドに案内されながら他方の可動係合片に接近し、これに対して、ラッチ先端部の傾斜面が他方の可動係合片に衝突した場合には、他方の可動係合片は、付勢バネのバネ力に抗して多少位置変位するものの、該ラッチ先端部は該他方の可動係合片を乗り越えるラッチ錠用の受け具。
【発明の詳細な説明】
【技術分野】
【０００１】
本発明は、ラッチ錠用の受け具に関する。
【背景技術】
【０００２】
特許文献１には、「固定側に取付けられ、かつ自由扉の自由端部に取付けられた錠本体の組となる上下方向の二つのラッチ先端部が係脱するラッチ錠用の受け具」がそれぞれ記載されている。
【０００３】
ここでは、特許文献１について記述する。特許文献１の受け具を含むラッチ錠は、次の構成から成る（公報中の符号も入れる）。
【０００４】
すなわち、このラッチ錠は、（Ａ）固定側に取付けるラッチ受部材（２）と、揺動扉側に取付ける突没自在で且つ一対となる少なくとも２つのラッチ部材（４０ａ、４０ｂ）とを備え、（Ｂ）ラッチ受部材２には、一対のラッチ部材（４０ａ、４０ｂ）にそれぞれ対応して扉の揺動方向中央よりにラッチヘッド収容部（５２ａ、５２ｂ）と、一のラッチヘッド収容部５２ａの揺動方向右側と他のラッチヘッド収容部５２ｂの揺動方向左側とに相互に対称的にラッチ係止部（５１ａ、５１ｂ）を有し、（Ｃ）ラッチ部材の先端部を形成するラッチヘッド（４１ａ、４１ｂ）は、ラッチ係止部に当接係止する係止面部（４２ａ、４２ｂ）とラッチ係止部（５１ａ、５１ｂ）に当接して没入する傾斜面部（４３ａ、４３ｂ）とからなる扉の揺動方向断面において略直角三角形に形成してあり、（Ｄ）扉が閉じた状態で一のラッチヘッド（４１ａ）と他のラッチヘッド（４１ｂ）との係止面部（４２ａ、４２ｂ）がそれぞれラッチ係止部（５１ａ、５１ｂ）側に位置して相互に対称に有している。
【０００５】
上記構成に於いて、図１、図３及び図４に記載の受け具（ラッチ受部材）を参酌すると、受け具に中央部寄りの部位に形成された上位のラッチヘッド収容部（５２ａ）の構成は、例えば扉を手前からプッシュして閉めた場合に於いて、横断面略直角三角形状の一のラッチヘッド（４１ａ）の係止面部（４２ａ）がそのまま入り込み、かつ収容部（５２ａ）の内部（奥側）の側壁部分の内面に面接触状態に係合する二方向、或は正面視コ字形の切欠状横向き凹所である。
【０００６】
一方、同じく、中央部寄りの部位に形成された下位のラッチヘッド収容部（５２ｂ）の構成は、例えば扉を向こう側から閉めた場合に於いて、横断面略直角三角形状の一のラッチヘッド（４１ｂ）の係止面部（４２ｂ）がそのまま入り込み、かつ収容部（５２ｂ）の内部（手前に位置する奥側）の側壁部分の内面に面接触状態に係合する二方向、或は正面視逆コ字形の切欠状横向き凹所である。
【０００７】
このように、特許文献１の受け具の上下のラッチヘッド収容部（５２ａ、５２ｂ）は、それぞれ受け具の一側壁部分から中央部寄りの部位まで、上下方向に、かつ回転対称に形成された二方向の切欠状横向き凹所である。
【０００８】
上記構成の受け具は、扉を手前側からプッシュして閉めた場合、又は逆に扉を手前側に向けて閉めた場合のいずれであっても、上下方向に回転対称に位置するラッチ係止部（５１ａ、５１ｂ）でもって、扉側の上下のラッチヘッド（４１ａ、４１ｂ）を係止することができるという利点がある。
【０００９】
しかしながら、上下のラッチヘッド収容部（５２ａ、５２ｂ）は、それぞれ二方向の切欠状横向き凹所（固定型開口部）であることから、ラッチヘッドに対する緩衝的効果、開閉扉的効果（クリック感類似の扉の開閉感）、摩擦的抵抗感等を十分に与えることができないという問題点があった。
【００１０】
この問題点に関して付言すると、例えば扉を手前側から又は向こう側からプッシュして閉めた場合、一方の収容部（例えば５２ａ）は開口しているから、一のラッチヘッド（４１ａ）は、何らの摩擦抵抗を受けことなく、そのまま収容部（５２ａ）に入り込み、摩擦抵抗を受けるのは、他のラッチヘッド（例えば４１ｂ）だけである。したがって、ラッチヘッドに対する緩衝的効果、開閉扉的効果、摩擦的抵抗感等を十分に得ることができない。
【００１１】
したがって、特許文献１の受け具の問題点に鑑み、ラッチヘッドに対する緩衝的効果、開閉扉的効果（クリック感類似の開閉感）、摩擦的抵抗感等を十分に与えることができる新規な受け具が望まれる。
【特許文献１】特開２００６−２３３４６２号公報
【発明の開示】
【発明が解決しようとする課題】
【００１２】
本発明の所期の目的は、自由扉のラッチ錠に対応する受け具を提供することを前提として、扉の閉鎖時、ラッチヘッドに対する緩衝的効果、開閉扉的効果（クリック感類似の開閉感）、摩擦的抵抗感等を十分に与えることができることである。
【課題を解決するための手段】
【００１３】
本発明のラッチ錠用の受け具は、上下方向の二つのラッチ先端部が係脱する上下のラッチ用収容部を有するラッチ錠用の受け具に於いて、収容部の少なくとも一方は、変動する正面開口とこれに連通する左右開口とを有し、また、正面開口の上下の開口縁部には水平ガイドを形成し、これらの水平ガイドには付勢バネのバネ力により所定量離隔して対向する左右一組の可動係合片が組み込まれ、閉扉時、ラッチ先端部の一方が左右開口のいずれかから進入して一方の収容部に入り込む際、該ラッチ先端部の被係止面が一方の可動係合片に衝突した場合には、該一方の可動係合片は、付勢バネのバネ力に抗して、かつ水平ガイドに案内されながら他方の可動係合片に接近し、これに対して、ラッチ先端部の傾斜面が他方の可動係合片に衝突した場合には、他方の可動係合片は、付勢バネのバネ力に抗して多少位置変位するものの、該ラッチ先端部は該他方の可動係合片を乗り越えることを特徴とする。
【発明の効果】
【００１４】
扉の閉鎖時、ラッチヘッドに対する緩衝的効果、開閉扉的効果（クリック感類似の開閉感）、摩擦的抵抗感等を十分に与えることができる。
【発明を実施するための最良の形態】
【００１５】
以下、図１乃至図１１に示す本発明を実施するための最良の形態により説明する。
【００１６】
（１）発明の実施の環境
本発明はラッチ錠用の受け具に関するものであることから、まず、図１乃至図３を参照にして、発明の実施の環境を簡単に説明する。
【００１７】
図１乃至図３に於いて、１は固定側の部材で、例えば戸枠の縦枠である。２は固定側の部材１に垂直状態に固定されるラッチ錠用の受け具で、この受け具２は固定側の部材１から突出する。受け具２は、上下方向に区分けして形成されたラッチ用の収容部４Ａ、４Ｂを有している。したがって、受け具２は、扉３の開放側縁部（自由端部）に組み込まれたラッチ錠の上下のラッチ５Ａ、５Ｂの位置に対応して固定側の部材１に固定される。
【００１８】
ラッチ錠の構造そのものについては、発明の特定要件ではないので、詳細な説明は割愛する。ここで、図２及び図３を参照にして、本発明と関係のある構成を簡単に説明する。
【００１９】
符号６は、錠箱内の前方の中央部に固設されたラッチ枠で、このラッチ枠の上下に位置する水平対向壁には、図示しないロッキングピースの先端部を受け入れる切欠状の開口が形成されている。また、水平対向壁に直交する垂直壁の内面には、上下一対のバネ端支持部が突出形成されている。
【００２０】
また、符号５Ａ、５Ｂは、錠箱の前方に配設された上下一対のラッチである。これらのラッチ５Ａ、５Ｂは、それぞれ反転式のラッチであり、その後端部がラッチ枠６内に収まるようにフロント板の上下のラッチ用開口にそれぞれ配設されている。しかも、これらのラッチ５Ａ、５Ｂは、上位のラッチ５Ａを示す図２、下位のラッチ５Ｂを示す図３で示すように水平断面説明図を平面視から見た場合を基準にすると、ラッチングする被係止面７及び傾斜面８が相互に対称に位置するように配設されている。
【００２１】
すなわち、図２では上位のラッチ５Ａの被係止面７は向こう側（紙面上では上側）に位置し、一方、図３では下位のラッチ５Ｂの被係止面７は手前側（紙面上では下側）に位置している。それ故に、ラッチ５Ａ、５Ｂの傾斜面８は相互に対称である。
【００２２】
ところで、反転式のラッチの構造に関しては、例えば特開平８−１００５５９号公報、特許公開平９−３２５２４８号公報、特許公開平１０−３１１１７３号公報、特開平１１−１４１２０７号公報、特許公開２００３−７４２４５号公報等に記載されているように、当業者にとって周知事項である。
【００２３】
ここで、反転式のラッチの構成について説明する。反転式のラッチは、平面形状がほぼ菱形に形成され、前述したラッチングの被係止面７、受け具２の収容部４Ａ、４Ｂを形成するラッチ係止部に対する傾斜面８、ストッパー用突起、係合受け部等を有している。上下のラッチ５Ａ、５Ｂは、それぞれ断面チャンネル形状（平面門形形状）のラッチ受け１０及びラッチばね（圧縮コイルばね）１１を介して反転かつ進退動する。また、上下のラッチ５Ａ、５Ｂは、ラッチばね１１により錠箱のフロント板から突出する方向に付勢されている。したがって、普通一般に、反転式のラッチは、扉３の開閉時、受け具の係合部に摺接すると、ラッチ受け１０及びラッチばね（圧縮コイルばね）１１を介して反転かつ進退動する。
【００２４】
なお、本実施例の上下のラッチ５Ａ、５Ｂは、中央部に内設された垂直の基準軸１２を介して一対的、かつ回転可能に連係されている（新規事項）。このように構成すると、上下のラッチ５Ａ、５Ｂは、共働して突出するという利点がある。
【００２５】
また、ラッチ５Ａ、５Ｂとラッチ受け１０との間はラッチばね１１で押し付けられて組み付けられた状態にあるが、相対的な回動（ラッチ受けに対するラッチの反転）は許容されている。また、上下のラッチ５Ａ、５Ｂは、閉扉時から開扉時の場合、ラッチばね１１のバネ力に抗して反転しながら後退した後は、前記ラッチばね１１のバネ力により、当初の位置へと戻る。さらに、ラッチ５Ａ、５Ｂは、開扉時から閉扉時の場合、例えばハンドルをプッシュしながら閉扉操作しても、上下のラッチ５Ａ、５Ｂが同時に受け具２の上下の収容部４Ａ、４Ｂに入り込まない限り、前記収容部を形成する係合部(側壁部分の表面)にその先端部が衝突状態に摺接しても、反転することなく、そのままの姿勢を維持する。
【００２６】
（２）受け具
次に、本発明のラッチ錠用の受け具２の一例を説明する。図４は受け具２の正面図で、図５、図６等の左側面図、右側面図等はこの正面図を基準にしている。
【００２７】
前述したように、本発明は、固定側（戸枠の縦枠や柱）１に取付けられ、かつ自由扉３の自由端部に取付けられた錠本体の組となる上下方向の二つのラッチ５Ａ、５Ｂの各先端部ａ、ｂが同時に係脱するラッチ錠用の受け具２である。
【００２８】
まず、図１を参照しながら説明する。符号２ａは、受け具２の表面２ａである。ここで「表面２ａ」とは、左右に揺動する扉３の自由端部側から固定側の部材に向かって受け具２を見た場合（図４の正面図を基準）をいう。なお、受け具２の側壁部分の稜線部分（アール部分）も表面の概念に含まれる。
【００２９】
また、２ｂは受け具２の一側面（左側面）、２ｃは受け具２の他側面（右側面）、２ｄは受け具２の上面、２ｅは受け具２の下面である。
【００３０】
図１で示すように、本実施例の受け具２は、全体として直方体或いは角柱形状の形態である。この角柱形状の上端部寄りの部位と下端部寄りの部位に、錠本体の組となる上下方向の二つのラッチ先端部ａ、ｂが係脱する上下のラッチ５Ａ、５Ｂ用の収容部４Ａ、４Ｂがそれぞれ形成されている。
【００３１】
しかして、本実施例では、前記収容部４Ａ、４Ｂの少なくとも一方（実施例では上側の収容部４Ａ）は、変動する正面開口１５とこれに連通する左右開口１６、１７を有している。
【００３２】
また、前記正面開口１５の上下の開口縁部には、図９で示すように、上下一対の水平ガイド１８、１８が形成されている。これらの水平ガイド１８は、例えば上下に対向する水平カイド溝なので、それらの各左右端部の垂直面１８ａ、１８ｂは、可動係合部材に対するストッパーの機能を有する。
【００３３】
しかして、上下の水平ガイド１８には、上下の付勢バネ１９、１９のバネ力により所定量離隔して対向する左右一組の可動係合片２０、２１が組み込まれている。ここでは、左側の可動係合片を符号２０とし、一方、左側の可動係合片２０に対向する右側の可動係合片を符号２１とする。
【００３４】
上下の付勢バネ１９、１９は、普通一般の押しバネが採用され、それらの両端部は、左右の可動係合片２０、２１の上下端部にそれぞれ形成したバネ端支持凹所２２に嵌め込まれている。棒状、長板状等の可動係合片２０、２１を水平ガイド１８に嵌め込む場合には、例えば斜めの状態にして、その上下端部を水平ガイド１８に嵌め込みながら垂直状態にする。次に、左右の可動係合片２０、２１を垂直状態にしながら、上下の付勢バネ１９、１９の両端部を可動係合片２０、２１のバネ端支持凹所２２に適宜に嵌め込む。
【００３５】
そうすると、図１、図９で示すように、左右の可動係合片２０、２１は、それらの上下端部が水平ガイド１８の各左右端部の垂直面１８ａ、１８ｂに当たるところまで開く。したがって、本実施例では、図１で示すように常態での可動係合片２０、２１の位置を基準にして、収容部４Ａの変動可能な正面開口１５と左右開口１６、１７の用語が定義され得る。
【００３６】
次に、本実施例の他方（実施例では下側）の収容部４Ｂは、上方の収容部４Ａの構造とは異なっている。すなわち、下方の収容部４Ｂの構造は、特許文献１の下方の収容部と同一であり、正面開口２５と他側面開口（右側面開口）２６が連通状態に開口する横向き凹所形状の開口部である。付言すると、上方の収容部４Ａの変動三方向の開口部とは相違し、固定ニ方向の開口部である。
【００３７】
したがって、収容部４Ｂの他側面２ｃの側壁開口２６の奥側（図１では手前側）には、下方のラッチ５Ｂのラッチヘッドｂと係脱する側壁状のラッチ係止部２７が設けられている。このラッチ係止部２７は、側壁開口２６側からラッチヘッドｂの被係止面７がそのまま収容部４Ｂ内に入り込んだときは、その内面２７ａで受け止め、一方、受け具２の表面（ラッチ係止部２７の表面２７ｂ）２ａ側からラッチヘッドｂの傾斜面８が衝突してきたときは、ラッチ係止部２７の表面２７ｂを乗り越えて収容部４Ｂ内に入り込む。
【００３８】
（３）主な作用
ここでは、図１０及び図１１を参照にして、本発明の作用について述べる。
【００３９】
まず、図１０は左側から二つのラッチ先端部ａ、ｂが進入して対応する上下のラッチ５Ａ、５Ｂ用の収容部４Ａ、４Ｂに同時に入り込む場合を概念的に示している。
【００４０】
図１０の左側の図面では、上方のラッチ先端部ａの被係止面７が左側の可動係合片２０に当たること、一方、下方のラッチ先端部ｂの傾斜面８がラッチ係止部２７の表面２７ｂに当たることをそれぞれ示す。そこで、閉扉時、図示しない扉が矢印Ａ方向に移動すると、上方のラッチ先端部ａの被係止面７が左側の可動係合片２０と衝突する。一方、下方のラッチ先端部ｂの傾斜面８はラッチ係止部２７の表面２７ｂに当たる。
【００４１】
しかして、上方のラッチ先端部ａの被係止面７が左側の可動係合片２０と衝突すると、可動係合片２０は付勢バネ１９のバネ力に抗して、かつ水平ガイド１８に案内されながら右側の可動係合片２１に接近する。これに対して、下方のラッチ先端部ｂの傾斜面８はラッチ係止部２７の表面２７ｂに当たると、下方のラッチは反転かつ後退動してラッチ係止部２７を乗り越える。その結果、上下のラッチ５Ａ、５Ｂがそれぞれ対応する上下の収容部４Ａ、４Ｂに同時に入り込んだ場合には、右側の図に示すように上下のラッチ５Ａ、５Ｂは、鉛直線上に揃い、上方のラッチ先端部ａは重なり合う一組の可動係合片２０、２１に係止され、一方、下方のラッチ先端部ｂはラッチ係止部２７の内面２７ａに係止され得る。なお、下方のラッチ先端部ｂがラッチ係止部２７を乗り越えた場合には、前述したように、ラッチばね（圧縮コイルばね）１１を介して下の収容部４Ｂへと前進する。
【００４２】
次に、図１１は右側から二つのラッチ先端部ａ、ｂが進入して対応する上下のラッチ５Ａ、５Ｂ用の収容部４Ａ、４Ｂに同時に入り込む場合を概念的に示している。
図１１の右側の図面では、上方のラッチ先端部ａの傾斜面８が右側の可動係合片２１に当たること、一方、下方のラッチ先端部ｂの被係止面７が側壁開口２６からそのまま下の収容部４Ｂに入り込むことをそれぞれ示す。そこで、閉扉時、図示しない扉が矢印Ｂ方向に移動すると、上方のラッチ先端部ａの傾斜面８が右側の可動係合片２１と衝突する。一方、下方のラッチ先端部ｂの被係止面７は、側壁開口２６からそのまま下の収容部４Ｂに入り込む。
【００４３】
しかして、上方のラッチ先端部ａの傾斜面８が右側の可動係合片２１と衝突すると、可動係合片２１は付勢バネ１９のバネ力に抗して多少位置変位するものの、摩擦抵抗に勝るように付勢バネ１９のバネ力が適宜に設定されているので、上方のラッチは反転かつ後退動して右側の可動係合片２１を乗り越える。付言すると、可動係合片２１は、付勢バネ１９の反発力を利用して該ラッチ先端部ａが可動係合片２１を乗り越えることを許容する。その結果、上方のラッチ先端部ａは、左の図に示すように、左右の可動係合片２０、２１内に入り込む。この時、左右の可動係合片２０、２１は、付勢バネ１９のバネ力の復帰力により、初期位置へと戻る。
【００４４】
このように、本発明では、二つのラッチ先端部ａ、ｂの一方ａが収容部４Ａの左右開口１６、１７のいずれかから進入して、一方の収容部４Ａに入り込む際、ラッチ先端部ａの被係止面７が衝突した場合には、一方の可動係合片２０は付勢バネ１９のバネ力に抗して、かつ水平ガイド１８に案内されながら他方の可動係合片２１に接近し、これに対して、ラッチ先端部ａの傾斜面８が他方の可動係合片２１に衝突した場合には、他方の可動係合片２１は前記付勢バネのバネ力１９に抗して多少位置変位するものの、該ラッチ先端部ａが乗り越えることを許容する。
【実施例】
【００４５】
本実施例に於いて、他方（実施例では下側）の収容部４Ｂは、上方の収容部４Ａの構造とは異なっている。しかしながら、他方の収容部４Ｂの構造も、上方の収容部４Ａのそれと同一にしても良いことはもちろんである。要は、発明の所期の目的を達成し得る限り、本実施例のように、収容部の少なくとも一方に緩衝部材を組み込めば良い。
【００４６】
また、本実施例に於いて、上下のラッチ５Ａ、５Ｂは、反転ラッチを用いたが、必ずしも反転ラッチである必要はなく、特許文献１に記載のラッボルト（反転しないで、そのまま進退動する係合ボルト）であっても良い。
【産業上の利用可能性】
【００４７】
本発明は、主に錠前や建具の業界で利用される。
【図面の簡単な説明】
【００４８】
図１乃至図１１は、本発明の一実施例の受け具を示す各説明図。
【図１】取付けの環境状態を示す概略説明図。
【図２】閉扉時の概略の横断面説明図（上方のラッチ先端部ａの係合状態を示す平面視）。
【図３】閉扉時の概略の横断面説明図（下方のラッチ先端部ｂの係合状態を示す平面視）。
【図４】正面図。
【図５】左側面図。
【図６】右側面図。
【図７】図４の７−７線断面図。
【図８】図４の８−８線断面図。
【図９】要部の概略断面説明図。
【図１０】作用の概念図（ラッチヘッドが矢印Ａ方向へ移動）。
【図１１】作用の概念図（ラッチヘッドが矢印Ｂ方向へ移動）。
【符号の説明】
【００４９】
1…固定側の部材、２…受け具、２ａ…受け具の表面、３…扉、４Ａ、４Ｂ…ラッチ用の収容部、５Ａ、５Ｂ…上下のラッチ、ａ、ｂ…ラッチ先端部、６…ラッチ枠、７…被係止面、８…傾斜面、１０…ラッチ受け、１１…ラッチばね、１２…基準軸、１５…正面開口、１６…左開口、１７…右開口、1８…水平ガイド、１８ａ、１８ｂ…左右端部の垂直面、１９…付勢バネ、２０、２１…左右一組の可動係合片、２２…バネ端支持凹所、２５…収容部４Ｂの正面開口、２６…収容部４Ｂの側壁開口、２７…ラッチ係止部、２７ａ…ラッチ係止部の内面、２７ｂ…ラッチ係止部の表面。
【図１】
2009062749.tif 000003
【図２】
2009062749.tif 000004
【図３】
2009062749.tif 000005
【図４】
2009062749.tif 000006
【図５】
2009062749.tif 000007
【図６】
2009062749.tif 000008
【図７】
2009062749.tif 000009
【図８】
2009062749.tif 000010
【図９】
2009062749.tif 000011
【図１０】
2009062749.tif 000012
【図１１】
2009062749.tif 000013